(57)【要約】【課題】機械的な駆動部を不要とし、かつスペックルの発生を十分低減することが可能な照明装置、及びプロジェクタを提供すること。【解決手段】レーザ光を供給するレーザ光源と、ポリマー部材を有するポリマー部材層２５に液晶分子２４を分散させたポリマー分散液晶部１３と、を有し、ポリマー分散液晶部１３は、レーザ光が入射する位置に設けられ、液晶分子２４の配向を変化させるごとのポリマー分散液晶部１３からのレーザ光を重畳させて照明対象を照明する。【選択図】図２
2007171745.tif 000002
【特許請求の範囲】
【請求項１】
レーザ光を供給するレーザ光源と、
ポリマー部材を有する層に液晶分子を分散させたポリマー分散液晶部と、を有し、
前記ポリマー分散液晶部は、前記レーザ光が入射する位置に設けられ、
前記液晶分子の配向を変化させるごとの前記ポリマー分散液晶部からの前記レーザ光を
重畳させて照明対象を照明することを特徴とする照明装置。
【請求項２】
前記ポリマー分散液晶部は、前記ポリマー分散液晶部からの前記レーザ光を散乱させる
第１の状態と、前記第１の状態より前記レーザ光の散乱が低減された第２の状態に繰り返
し変化することを特徴とする請求項１に記載の照明装置。
【請求項３】
前記ポリマー分散液晶部は、前記ポリマー分散液晶部への電圧の印加と、電圧の印加の
停止とを繰り返すことにより、前記第１の状態と前記第２の状態とに繰り返し変化するこ
とを特徴とする請求項２に記載の照明装置。
【請求項４】
前記ポリマー分散液晶部は、
前記ポリマー分散液晶部へ電圧を印加することで前記液晶分子の配向が揃えられる場合
、前記第１の状態において電圧の印加が停止され、かつ前記第２の状態において前記液晶
分子の配向が略均一となる最大電圧より低い電圧が印加され、
前記ポリマー分散液晶部への電圧の印加を停止することで液晶分子の配向が揃えられる
場合、前記第１の状態において電圧が印加され、かつ前記第２の状態において、前記第１
の状態での印加電圧より低い電圧が印加されることを特徴とする請求項２に記載の照明装
置。
【請求項５】
前記ポリマー分散液晶部は、前記第２の状態において前記液晶分子の配向が保持される
までの時間が経過する前に、前記第１の状態への変化を開始させることを特徴とする請求
項２又は３に記載の照明装置。
【請求項６】
前記第１の状態における前記ポリマー分散液晶部のヘイズ値が５％〜２０％であること
を特徴とする請求項１〜５のいずれか一項に記載の照明装置。
【請求項７】
前記レーザ光を回折させることにより、前記レーザ光の照射領域を整形する回折光学素
子を有し、
前記ポリマー分散液晶部は、前記回折光学素子及び前記照明対象の間の光路中に設けら
れることを特徴とする請求項１〜６のいずれか一項に記載の照明装置。
【請求項８】
請求項１〜７のいずれか一項に記載の照明装置を備えることを特徴とするプロジェクタ
。
【発明の詳細な説明】
【技術分野】
【０００１】
本発明は、照明装置及びプロジェクタ、特に、レーザ光を用いる照明装置の技術に関す
る。
【背景技術】
【０００２】
近年、半導体レーザの高出力化や青色半導体レーザの開発に伴い、レーザ光源を用いた
プロジェクタやディスプレイが提案されている。レーザ光は、単一波長であるため色純度
が高い、コヒーレンスが高く整形が容易である等の特徴を有する。レーザ光源は、従来用
いられるメタルハライドランプやハロゲンランプ等と比較して、小型である、瞬時点灯が
可能である等の利点を有する。このことから、レーザ光を用いることで、小型な構成によ
り高品質な画像を表示することが期待されている。レーザ光はコヒーレンスが高いことか
ら、照射領域において明点及び暗点がランダムに分布するいわゆるスペックルパターンを
生じさせ易い。画像を表示するために拡大整形されたレーザ光においてスペックルを生じ
ると、ぎらぎらとするちらつき感を観察者へ与え、画像観賞へ悪影響を及ぼすこととなる
。スペックルを低減するための技術は、例えば、特許文献１に提案されている。
【０００３】
【特許文献１】特開平６−２０８０８９号公報
【発明の開示】
【発明が解決しようとする課題】
【０００４】
拡散素子の回転、振動によりスペックルパターンを変化させる特許文献１の技術では、
モータ等、拡散素子を駆動するための機械的な駆動部が必要となる。このような駆動部を
用いることで装置の信頼性の低下や装置の大型化、静粛性の悪化が引き起こされることが
考えられる。また、拡散素子を外力により回転等させることから、拡散素子に高い耐久性
が必要となり、コストが増大することも考えられる。拡散素子を単純に往復運動させる場
合には拡散素子が停止する瞬間が生じることから、種々のスペックルパターンを重ね合わ
せて特定のスペックルパターンを認識させにくくするという効果が低減されてしまう。さ
らに、特定の拡散パターンの拡散素子を回転、振動させても周期的に同じスペックルパタ
ーンが生じることから、特定のスペックルパターンを観察者に認識させてしまうことも考
えられる。このように、従来の技術によると、機械的な駆動部を不要とし、かつスペック
ルの発生を十分低減することが困難であるという問題を生じる。本発明は、上述の問題に
鑑みてなされたものであり、機械的な駆動部を不要とし、かつスペックルの発生を十分低
減することが可能な照明装置、及びプロジェクタを提供することを目的とする。
【課題を解決するための手段】
【０００５】
上述した課題を解決し、目的を達成するために、本発明によれば、レーザ光を供給する
レーザ光源と、ポリマー部材の層に液晶分子を分散させたポリマー分散液晶部と、を有し
、ポリマー分散液晶部は、レーザ光が入射する位置に設けられ、液晶分子の配向を変化さ
せるごとのポリマー分散液晶部からのレーザ光を重畳させて照明対象を照明することを特
徴とする照明装置を提供することができる。
【０００６】
ポリマー分散液晶（Polymer Dispersed Liquid Crystal;PDLC）は、電圧印加のパター
ンに応じて、ポリマー中に分散された液晶分子の配向を変化させるものである。液晶分子
の配向を変化させることにより、ポリマー分散液晶部からのレーザ光の散乱特性を変化さ
せる。レーザ光の散乱特性の変化により、レーザ光のスペックルパターンを変化させるこ
とができる。液晶分子の配向を変化させる間のさまざまなスペックルパターンを重ね合わ
せることにより、特定のスペックルパターンの認識をさせにくくすることができ、効果的
にスペックルの低減を図れる。また、ポリマー分散液晶部を用いることにより、モータ等
の機械的な駆動部を用いること無くスペックルの低減を図ることが可能となる。これによ
り、機械的な駆動部を不要とし、かつスペックルの発生を十分低減することが可能な照明
装置を得られる。機械的な駆動部を不要とすることで、小型、低電力、低コストで高い静
粛性、及び高い信頼性を備える照明装置を得ることができる。
【０００７】
また、本発明の好ましい態様としては、ポリマー分散液晶部は、ポリマー分散液晶部か
らのレーザ光を散乱させる第１の状態と、第１の状態よりレーザ光の散乱が低減された第
２の状態に繰り返し変化することが望ましい。ポリマー分散液晶部を第１の状態と第２の
状態とに繰り返し変化させることにより、スペックルパターンを常時変化させ、観察者に
特定のスペックルパターンの認識をさせにくくすることができる。
【０００８】
また、本発明の好ましい態様としては、ポリマー分散液晶部は、ポリマー分散液晶部へ
の電圧の印加と、電圧の印加の停止とを繰り返すことにより、第１の状態と第２の状態と
に繰り返し変化することが望ましい。電圧の印加により配向が揃う性質の液晶分子を用い
る場合、電圧の印加の停止により第１の状態、電圧の印加により第２の状態にできる。電
圧の印加の停止により配向が揃う性質の液晶分子を用いる場合、電圧の印加により第１の
状態、電圧の印加の停止により第２の状態にできる。これにより、第１の状態と第２の状
態とにポリマー分散液晶部を繰り返し変化させることができる。
【０００９】
また、本発明の好ましい態様としては、ポリマー分散液晶部は、ポリマー分散液晶部へ
電圧を印加することで液晶分子の配向が揃えられる場合、第１の状態において電圧の印加
が停止され、かつ第２の状態において液晶分子の配向が略均一となる最大電圧より低い電
圧が印加され、ポリマー分散液晶部への電圧の印加を停止することで液晶分子の配向が揃
えられる場合、第１の状態において電圧が印加され、かつ第２の状態において、第１の状
態での印加電圧より低い電圧が印加されることが望ましい。レーザ光の散乱は、ポリマー
分散液晶部の液晶分子の配向が略均一となるときに最小となる。本態様では、第２の状態
において、液晶分子の配向が略均一となる手前の状態とすることが可能となる。液晶分子
の配向が略均一となる手前において液晶分子はランダムに配向することとなるため、スペ
ックルパターンをランダムに変化させることができる。また、第２の状態となるたびに液
晶分子の配向が略均一となる場合よりも、特定のスペックルパターンの認識をさせにくく
することが可能となる。これにより、さらにスペックルを低減することができる。
【００１０】
また、本発明の好ましい態様としては、ポリマー分散液晶部は、第２の状態において液
晶分子の配向が保持されるまでの時間が経過する前に、第１の状態への変化を開始させる
ことが望ましい。液晶分子の配向が保持されるまでの時間とは、第２の状態においてポリ
マー分散液晶部への電圧の印加、又は電圧の印加の停止により液晶分子の配向が略均一と
なるまでの応答時間である。ポリマー分散液晶部は、第２の状態において液晶分子の配向
が略均一となる前段階において、第１の状態への変化を開始させる。液晶分子の配向が略
均一となる手前において液晶分子はランダムに配向することとなるため、スペックルパタ
ーンをランダムに変化させることができる。また、第２の状態となるたびに液晶分子の配
向が略均一となる場合よりも、特定のスペックルパターンの認識をさせにくくすることが
可能となる。これにより、さらにスペックルを低減することができる。
【００１１】
また、本発明の好ましい態様としては、第１の状態におけるポリマー分散液晶部のヘイ
ズ値が５％〜２０％であることが望ましい。これにより、照射領域の形状の変化を低減し
、かつスペックルの低減を図れる。
【００１２】
また、本発明の好ましい態様としては、レーザ光を回折させることにより、レーザ光の
照射領域を整形する回折光学素子を有し、ポリマー分散液晶部は、回折光学素子及び照明
対象の間の光路中に設けられることが望ましい。回折光学素子を用いることで、簡易な構
成により、照明対象の形状に合わせたレーザ光の照射領域の整形ができる。回折光学素子
を用いることで、光量分布の均一化も行うことができる。例えば、回折光学素子の入射側
にポリマー分散液晶部を設ける場合、位相が乱れた状態のレーザ光が回折光学素子へ入射
することで、照射領域の整形が不十分となる場合が考えられる。回折光学素子と照明対象
との間にポリマー分散液晶部を設ける構成とすることで、回折光学素子の入射側における
位相の乱れを回避し、照射領域を正確に整形することが可能となる。
【００１３】
さらに、本発明によれば、上記の照明装置を備えることを特徴とするプロジェクタを提
供することができる。上記の照明装置を用いることにより、スペックルを低減するための
機械的な駆動部を不要とし、かつスペックルの発生を十分低減することができる。これに
より、小型、低電力、低コストで高い静粛性、及び高い信頼性を備え、かつスペックルが
低減された高品質な画像を表示することが可能なプロジェクタを得られる。
【発明を実施するための最良の形態】
【００１４】
以下に図面を参照して、本発明の実施例を詳細に説明する。
【実施例１】
【００１５】
図１は、本発明の実施例１に係る照明装置１０の概略構成を示す。照明装置１０は、レ
ーザ光を供給するレーザ光源１１を有する。レーザ光源１１としては、半導体レーザを用
いることができる。回折光学素子１２は、レーザ光を回折させることにより、照明対象Ｉ
の形状に合わせてレーザ光の照明領域を矩形形状に整形及び拡大する。また、回折光学素
子１２は、レーザ光の光量分布の均一化も行う。回折光学素子１２としては、例えば、計
算機合成ホログラム（Computer Generated Hologram;CGH）を用いることができる。ポリ
マー分散液晶部１３は、レーザ光が入射する位置であって、回折光学素子１２及び照明対
象Ｉの間の光路中に設けられている。ポリマー分散液晶部１３を透過した光は、照明対象
Ｉの方向へ進行する。なお、レーザ光源１１としては、半導体レーザ励起固体（ＤＰＳＳ
）レーザや、固体レーザ、液体レーザ、ガスレーザ等を用いても良い。
【００１６】
図２は、ポリマー分散液晶部１３の要部概略構成を示す。ポリマー分散液晶部１３は、
ポリマー部材を有するポリマー部材層２５に液晶分子２４を分散させて構成されている。
ポリマー分散液晶部１３は、液晶分子２４が含まれる粒子２３をポリマー部材層２５に分
散させる、いわゆるマイクロカプセル方式を採用している。粒子２３を分散させたポリマ
ー部材層２５は、例えば、重合反応に伴う相分離によってポリマー部材と液晶分子２４と
を分離させることで形成することができる。
【００１７】
ポリマー分散液晶部１３は、電圧印加のパターンに応じて、液晶分子２４の配向を変化
させる。例えば、液晶分子２４は、ポリマー分散液晶部１３への電圧の印加により電場の
方向を向くように配向する性質を有する。第１電極２６は、ポリマー部材層２５の一つの
側、例えば入射側に形成されている。第２電極２７は、ポリマー部材層２５のうち第１電
極２６が形成される側とは反対の側、例えば出射側に形成されている。
【００１８】
第１電極２６及び第２電極２７には、電力供給部２８が接続されている。第１電極２６
及び第２電極２７は、ポリマー分散液晶部１３のうち液晶分子２４が分散されたポリマー
部材層２５へ電圧を印加する。第１電極２６及び第２電極２７は、例えば金属酸化物であ
るＩＴＯやＩＺＯにより構成することができる。第１電極２６、ポリマー部材層２５、第
２電極２７は、入射側透明基板２１、及び出射側透明基板２２により挟持されている。
【００１９】
図３は、ポリマー分散液晶部１３への電圧の印加を停止させた第１の状態について説明
するものである。ポリマー分散液晶部１３への電圧の印加を停止すると、液晶分子２４は
ランダムな配向状態となる。ポリマー部材層２５は、液晶分子２４がランダムな配向状態
であるとき、ポリマー部材と粒子２３とが互いに異なる屈折率となるように形成されてい
る。ポリマー部材と粒子２３とが互いに異なる屈折率であるとき、ポリマー部材層２５へ
入射した光は、ポリマー部材と粒子２３との界面での屈折により散乱する。このように、
ポリマー分散液晶部１３は、電圧の印加を停止させることにより、ポリマー分散液晶部１
３を透過するレーザ光を散乱させる。また、ポリマー分散液晶部１３への電圧の印加を停
止するときに、レーザ光の散乱が最大となる。
【００２０】
図４は、ポリマー分散液晶部１３へ電圧を印加することにより液晶分子２４の配向が揃
えられた第２の状態について説明するものである。ポリマー部材層２５は、液晶分子２４
の配向が揃えられた状態であるとき、液晶分子２４がランダムな配向状態であるときより
ポリマー部材の屈折率と粒子２３の屈折率との差が小さくなる。ポリマー部材の屈折率と
粒子２３の屈折率との差が小さくなることで、液晶分子２４がランダムな配向状態である
ときよりポリマー部材層２５における光の散乱が抑制される。このように、ポリマー分散
液晶部１３は、電圧の印加により液晶分子２４の配向が揃えられることで、散乱が低減さ
れたレーザ光を出射させる。また、ポリマー分散液晶部１３へ印加する電圧が最大電圧と
なるとき、液晶分子２４の配向が略均一となることによりレーザ光の散乱が最小となる。
【００２１】
電圧の印加、及び電圧の印加の停止を繰り返すことにより、ポリマー分散液晶部１３は
、第１の状態と第２の状態とに繰り返し変化する。液晶分子２４の配向を変化させること
により、ポリマー分散液晶部１３からのレーザ光の散乱特性を変化させる。レーザ光の散
乱特性の変化により、レーザ光のスペックルパターンを変化させることができる。このよ
うに、照明装置１０は、液晶分子２４の配向を変化させるごとのポリマー分散液晶部１３
からのレーザ光を重畳させて照明対象Ｉを照明することにより、スペックルの発生を低減
させる。液晶分子の配向を変化させる間のさまざまなスペックルパターンを重ね合わせる
ことにより、特定のスペックルパターンの認識をさせにくくすることができ、効果的にス
ペックルの低減を図れる。また、第１の状態と第２の状態とにポリマー分散液晶部１３を
繰り返し変化させることにより、スペックルパターンを常時変化させ、観察者に特定のス
ペックルパターンの認識をさせにくくすることができる。
【００２２】
ポリマー分散液晶部１３への電圧の印加、電圧の印加の停止の切り換えは、例えば、１
秒間に６０回以上行うことが望ましい。これにより、人間が特定のスペックルパターンを
認識するよりも早くスペックルパターンを変化させることを可能とし、スペックルの発生
を十分に低減することが可能となる。また、ポリマー分散液晶部１３は、レーザ光を分散
させる第１の状態におけるヘイズ値を５％〜２０％とすることが望ましい。これにより、
一度回折光学素子１２で整形された照射領域の形状の変化を低減し、かつスペックルの低
減を図れる。
【００２３】
照明装置１０は、ポリマー分散液晶部１３を用いることにより、モータ等の機械的な駆
動部を用いること無くスペックルの低減を図ることが可能となる。これにより、機械的な
駆動部を不要とし、かつスペックルの発生を十分低減することができるという効果を奏す
る。機械的な駆動部を不要とすることで、小型、低電力、低コストで高い静粛性、及び高
い信頼性を備える照明装置１０を得ることができる。
【００２４】
例えば、回折光学素子１２の入射側にポリマー分散液晶部１３を設ける場合、位相が乱
れた状態のレーザ光が回折光学素子１２へ入射することで、照射領域の整形や光量分布の
均一化が不十分となる場合が考えられる。このため、ポリマー分散液晶部１３は、本実施
例のように回折光学素子１２と照明対象Ｉとの間の光路中に設けられることが望ましい。
回折光学素子１２より出射側にポリマー分散液晶部１３を設ける構成とすることで、回折
光学素子１２の入射側における位相の乱れを回避し、照射領域の整形や光量分布の均一化
を正確に行うことが可能となる。さらに、ポリマー分散液晶部１３は、回折光学素子１２
と照明対象Ｉとの間であって、回折光学素子１２に近い位置に設けることが望ましい。こ
れにより、できるだけ照射領域が大きく拡大される前に光をポリマー分散液晶部１３へ入
射させる構成とし、ポリマー分散液晶部１３を小型にすることができる。なお、照射領域
の整形や光量分布の均一化が可能であれば、レーザ光源１１と回折光学素子１２との間に
ポリマー分散液晶部１３を設ける構成としても良い。
【００２５】
ポリマー分散液晶部１３は、レーザ光の散乱が低減された第２の状態において、液晶分
子２４の配向が略均一となるように電圧が印加される場合に限られない。例えば、図５に
示すように、第２の状態では、液晶分子２４の配向が略均一となる最大電圧Ｖより低い電
圧、例えば最大電圧Ｖの約８０％に相当する電圧Ｖ’を印加することとしても良い。ポリ
マー分散液晶部１３は、時間ｔの間一定の電圧Ｖ’とする矩形波電圧が印加される。この
場合、ポリマー分散液晶部１３は、第２の状態において、液晶分子２４の配向が略均一と
なる手前の状態となる。
【００２６】
液晶分子２４の配向が略均一となる手前において、液晶分子２４はランダムに配向する
こととなる。液晶分子２４をランダムに配向させることで、スペックルパターンをランダ
ムに変化させることができる。また、第２の状態となるたびに液晶分子の配向が略均一と
なる場合よりも、特定のスペックルパターンの認識をさせにくくすることが可能となる。
これにより、さらにスペックルを低減することができる。また、図６に示すように、ポリ
マー分散液晶部１３は、電圧Ｖ’をピークとするサイン波電圧を印加することとしても良
い。
【００２７】
ポリマー分散液晶部１３は、電圧の印加により配向が揃う性質の液晶分子２４を用いる
場合に限らず、電圧の印加を停止させることにより配向が揃う性質の液晶分子２４を用い
る構成としても良い。この場合、ポリマー分散液晶部１３は、電圧の印加によりレーザ光
を分散させる第１の状態、電圧の印加の停止によりレーザ光の分散を低減する第２の状態
とすることができる。さらに、図７に示すように、ポリマー分散液晶部１３は、第２の状
態において、液晶分子２４の配向が略均一となる電圧ゼロとせず、最大電圧Ｖより低い電
圧、例えば最大電圧Ｖの約２０％に相当する電圧Ｖ’’を印加することとしても良い。第
１の状態では、ポリマー分散液晶部１３へ印加する電圧を最大電圧Ｖとすることで、液晶
分子２４をランダムな配向状態とし、レーザ光の散乱が最大となる。ポリマー分散液晶部
１３は、第２の状態において最大電圧Ｖより低い電圧の印加により、液晶分子２４の配向
が略均一となる手前の状態となる。この場合も、さらにスペックルを低減することができ
る。
【００２８】
液晶分子２４の配向が略均一となる手前の状態とするには、第２の状態においてポリマ
ー分散液晶部１３へ印加する電圧を変化させる場合に限られない。第２の状態において液
晶分子２４の配向が保持されるまでの時間が経過する前に、第１の状態への変化を開始さ
せることとしても良い。液晶分子２４の配向が保持されるまでの時間とは、第２の状態に
おいてポリマー分散液晶部１３への電圧の印加、又は電圧の印加の停止により液晶分子２
４の配向が略均一となるまでの応答時間である。
【００２９】
例えば、図８に示すように、時間ｔの間ポリマー分散液晶部１３へ電圧Ｖを印加するこ
とにより、液晶分子２４の配向が略均一となって保持されるとする。この場合において、
ポリマー分散液晶部１３は、第２の状態において、液晶分子２４の配向が略均一となる時
間ｔより短い時間、例えば時間ｔの約８０％に相当する時間ｔ’だけ電圧Ｖが印加される
。このようにポリマー分散液晶部１３へ電圧を印加する時間を調節することで、第２の状
態において液晶分子２４の配向が略均一となる前段階において、第１の状態への変化を開
始させる。
【００３０】
この場合も、液晶分子２４の配向が略均一となる手前において液晶分子２４はランダム
に配向することとなるため、スペックルパターンをランダムに変化させることができる。
また、第２の状態となるたびに液晶分子２４の配向が揃う場合よりも、特定のスペックル
パターンの認識をさせにくくすることが可能となる。これにより、さらにスペックルを低
減することができる。
【００３１】
図９は、本実施例の変形例に係る照明装置について説明するものである。本変形例は、
三次元方向について網目状に形成されたポリマー部材３５に液晶分子３４を分散させる、
いわゆるポリマーネットワーク型のポリマー分散液晶部３３を用いることを特徴とする。
第１電極２６及び第２電極２７は、ポリマー分散液晶部３３のうち液晶分子３４が分散さ
れたポリマー部材３５へ電圧を印加する。ポリマー分散液晶部３３は、例えば、特開平７
−３３３５８３号公報に記載された製造方法を用いて製造することができる。
【００３２】
例えば、ポリマー分散液晶部３３への電圧の印加を停止させた第１の状態では、図９に
示すように、液晶分子３４はランダムな配向状態となる。液晶分子３４がランダムな配向
状態となることで、ポリマー分散液晶部３３は、レーザ光を散乱させる。また、ポリマー
分散液晶部３３へ電圧を印加する第２の状態では、図１０に示すように、液晶分子３４の
配向が揃えられる。液晶分子３４の配向が揃えられることで、ポリマー分散液晶部３３は
、散乱が低減されたレーザ光を出射させる。本変形例の場合も、スペックルの発生を十分
低減することができる。本変形例の場合も、第２の状態において液晶分子３４の配向が略
均一となる手前の状態とするように電圧を印加することとしても良い。また、電圧の印加
により液晶分子３４の配向を揃える場合に限らず、電圧の印加を停止させる場合に液晶分
子３４の配向を揃える構成としても良い。
【実施例２】
【００３３】
図１１は、本発明の実施例２に係るプロジェクタ１００の概略構成を示す。プロジェク
タ１００は、観察者側に設けられたスクリーン６５に光を供給し、スクリーン６５で反射
する光を観察することで画像を鑑賞する、いわゆるフロント投写型のプロジェクタである
。プロジェクタ１００は、上記実施例１に係る照明装置１０と同様に構成された各色光用
照明装置１０Ｒ、１０Ｇ、１０Ｂを備えることを特徴とする。
【００３４】
赤色光（以下、「Ｒ光」という。）用照明装置１０Ｒに設けられたＲ光用レーザ光源１
１Ｒは、Ｒ光を供給する。Ｒ光用回折光学素子１２Ｒは、Ｒ光用レーザ光源１１Ｒからの
Ｒ光を回折させることにより、Ｒ光の照明領域の変換、及び光量分布の均一化を行う。Ｒ
光用回折光学素子１２ＲからのＲ光は、Ｒ光用ポリマー分散液晶部１３Ｒを透過した後、
Ｒ光用照明装置１０Ｒの照明対象であるＲ光用空間光変調装置６１Ｒへ入射する。Ｒ光用
空間光変調装置６１Ｒは、Ｒ光を画像信号に応じて変調する透過型液晶表示装置である。
Ｒ光用空間光変調装置６１Ｒで変調されたＲ光は、色合成光学系であるクロスダイクロイ
ックプリズム６２に入射する。
【００３５】
緑色光（以下、「Ｇ光」という。）用照明装置１０Ｇに設けられたＧ光用レーザ光源１
１Ｇは、Ｇ光を供給する。Ｇ光用回折光学素子１２Ｇは、Ｇ光用レーザ光源１１Ｇからの
Ｇ光を回折させることにより、Ｇ光の照明領域の変換、及び光量分布の均一化を行う。Ｇ
光用回折光学素子１２ＧからのＧ光は、Ｇ光用ポリマー分散液晶部１３Ｇを透過した後、
Ｇ光用照明装置１０Ｇの照明対象であるＧ光用空間光変調装置６１Ｇへ入射する。Ｇ光用
空間光変調装置６１Ｇは、Ｇ光を画像信号に応じて変調する透過型液晶表示装置である。
Ｇ光用空間光変調装置６１Ｇで変調されたＧ光は、色合成光学系であるクロスダイクロイ
ックプリズム６２に入射する。
【００３６】
青色光（以下、「Ｂ光」という。）用照明装置１０Ｂに設けられたＢ光用レーザ光源１
１Ｂは、Ｂ光を供給する。Ｂ光用回折光学素子１２Ｂは、Ｂ光用レーザ光源１１Ｂからの
Ｂ光を回折させることにより、Ｂ光の照明領域の変換、及び光量分布の均一化を行う。Ｂ
光用回折光学素子１２ＢからのＢ光は、Ｂ光用ポリマー分散液晶部１３Ｂを透過した後、
Ｂ光用照明装置１０Ｂの照明対象であるＢ光用空間光変調装置６１Ｂへ入射する。Ｂ光用
空間光変調装置６１Ｂは、Ｂ光を画像信号に応じて変調する透過型液晶表示装置である。
Ｂ光用空間光変調装置６１Ｂで変調されたＢ光は、色合成光学系であるクロスダイクロイ
ックプリズム６２に入射する。
【００３７】
クロスダイクロイックプリズム６２は、互いに略直交するように配置された２つのダイ
クロイック膜６２ａ、６２ｂを有する。第１ダイクロイック膜６２ａは、Ｒ光を反射し、
Ｇ光及びＢ光を透過する。第２ダイクロイック膜６２ｂは、Ｂ光を反射し、Ｇ光及びＲ光
を透過する。このように、クロスダイクロイックプリズム６２は、各空間光変調装置６１
Ｒ、６１Ｇ、６１Ｂでそれぞれ変調されたＲ光、Ｇ光及びＢ光を合成する。投写光学系６
３は、クロスダイクロイックプリズム６２で合成された光をスクリーン６５に投写する。
【００３８】
プロジェクタ１００は、上記実施例１の照明装置１０と同様に構成された各色光用照明
装置１０Ｒ、１０Ｇ、１０Ｂを有することから、スペックルを低減するための機械的な駆
動部を不要とし、かつスペックルの発生を十分低減することができる。これにより、小型
、低電力、低コストで高い静粛性、及び高い信頼性を備えた構成により、スペックルが低
減された高品質な画像を表示することができるという効果を奏する。
【００３９】
プロジェクタ１００は、３つの透過型液晶表示装置を設けた、いわゆる３板式のプロジ
ェクタに限らず、例えば、１つの透過型液晶表示装置を設けたプロジェクタや、反射型液
晶表示装置を用いたプロジェクタとしても良い。また、各色光用空間光変調装置６１Ｒ、
６１Ｇ、６１Ｂは、液晶表示装置を用いる構成に限らず、微小なミラーを駆動させる微小
ミラーアレイデバイスや、ライン状の変調光を一次元方向へ走査させるためのデバイスと
しても良い。プロジェクタ１００は、フロント投写型のプロジェクタに限られず、スクリ
ーンの一方の面にレーザ光を供給し、スクリーンの他方の面から出射される光を観察する
ことで画像を鑑賞する、いわゆるリアプロジェクタとしても良い。さらに、本発明の照明
装置は、スライドプロジェクタや露光装置に適用することとしても良い。
【産業上の利用可能性】
【００４０】
以上のように、本発明に係る照明装置は、レーザ光を用いて画像を表示するための照明
装置として適している。
【図面の簡単な説明】
【００４１】
【図１】本発明の実施例１に係る照明装置の概略構成を示す図。
【図２】ポリマー分散液晶部の要部概略構成を示す図。
【図３】ポリマー分散液晶部の第１の状態について説明する図。
【図４】ポリマー分散液晶部の第２の状態について説明する図。
【図５】第２の状態にて最大電圧より低い電圧を印加するパターンを示す図。
【図６】サイン波状に電圧を変化させるパターンを示す図。
【図７】第２の状態にて最大電圧より低い電圧を印加する他のパターンを示す図。
【図８】第２の状態にて応答時間より短い時間電圧を印加するパターンを示す図。
【図９】実施例１の変形例に係る照明装置について説明する図。
【図１０】ポリマー分散液晶部の第２の状態について説明する図。
【図１１】本発明の実施例２に係るプロジェクタの概略構成を示す図。
【符号の説明】
【００４２】
１０  照明装置、１１  レーザ光源、１２  回折光学素子、１３  ポリマー分散液晶部
、Ｉ  照明対象、２１  入射側透明基板、２２  出射側透明基板、２３  粒子、２４  液
晶分子、２５  ポリマー部材層、２６  第１電極、２７  第２電極、２８  電力供給部、
３３  ポリマー分散液晶部、３４  液晶分子、３５  ポリマー部材、１００  プロジェク
タ、１０Ｒ  Ｒ光用照明装置、１０Ｇ  Ｇ光用照明装置、１０Ｂ  Ｂ光用照明装置、１１
Ｒ  Ｒ光用レーザ光源、１１Ｇ  Ｇ光用レーザ光源、１１Ｂ  Ｂ光用レーザ光源、１２Ｒ
Ｒ光用回折光学素子、１２Ｇ  Ｇ光用回折光学素子、１２Ｂ  Ｂ光用回折光学素子、１
３Ｒ  Ｒ光用ポリマー分散液晶部、１３Ｇ  Ｇ光用ポリマー分散液晶部、１３Ｂ  Ｂ光用
ポリマー分散液晶部、６１Ｒ  Ｒ光用空間光変調装置、６１Ｇ  Ｇ光用空間光変調装置、
６１Ｂ  Ｂ光用空間光変調装置、６２  クロスダイクロイックプリズム、６２ａ  第１ダ
イクロイック膜、６２ｂ  第２ダイクロイック膜、６３  投写光学系、６５  スクリーン
【図１】
2007171745.tif 000003
【図２】
2007171745.tif 000004
【図３】
2007171745.tif 000005
【図４】
2007171745.tif 000006
【図５】
2007171745.tif 000007
【図６】
2007171745.tif 000008
【図７】
2007171745.tif 000009
【図８】
2007171745.tif 000010
【図９】
2007171745.tif 000011
【図１０】
2007171745.tif 000012
【図１１】
2007171745.tif 000013